(57)【特許請求の範囲】
【請求項１】
フィードチエン（１８）を前後方向のフィードチエン支持部材（２２）で支承した脱穀機において、上記フィードチエン支持部材（２２）を、その始端側に設けた前側取付部（２５）と後端側に設けた後側取付部（２６）とで機体側に取付けると共に、フィードチエン支持部材（２２）の始端側に設けたチエン外れ防止部材（３１）を、フィードチエン支持部材（２２）の機体側への前側取付部（２５）を挟んで前後に延設して、前側取付部（２５）を挟んだ前後の複数箇所でチエン外れ防止部材（３１）をフィードチエン支持部材（２２）にボルト（３２、３２）で固定することにより、チエン外れ防止部材（３１）をフィードチエン支持部材（２２）の始端側を補強する補強部材に兼用したことを特徴とする脱穀機のフィードチエン支持部材。
【請求項２】
上記フィードチエン支持部材（２２）を板状体で構成したことを特徴とする請求項１記載の脱穀機のフィードチエン支持部材。
【発明の詳細な説明】
【０００１】
【発明の属する技術分野】
本発明は、フィードチエンを前後方向のフィードチエン支持部材で支承した脱穀機におけるフィードチエン支持部材に係るものである。
【０００２】
【従来の技術】
一般に、コンバイン等に搭載される脱穀機には、扱口に沿って穀稈を搬送するフィードチェーンが設けられているが、このようなフィードチェーンは、穀稈の搬送を円滑にするため、前後方向のフィードチエン支持部材で下方から支持し、その後端側に設けた駆動スプロケットの回転に伴ってフィードチエンがフィードチエン支持部材に支持されながら回動するようになっている。
【０００３】
ところが上記のようなフィードチエンは、扱口に沿って長い範囲に亘り配設されているので、このようなフィードチエンを的確に支持するためには、フィードチエン支持部材にかなりの強度が必要となり、特に穀稈を供給する始端側では一層高い強度が要求される。このため、従来のフィードチエン支持部材は、必要な強度となるように構成部品類を溶接作業によって組み付けていた。このため、フィードチエン支持部材の構造が複雑となって部品点数も多くなり、組み付け作業が容易でないという問題があった。
【０００４】
【本発明が解決しようとする課題】
本発明は、上記のような問題点を解消すべく創作されたものであって、扱口に沿って配設されるフィードチエンを的確に支承することができ、しかもフィードチエンの外れ防止部材を利用して補強することにより、組み付けに必要な部品点数の削減を図ることができる脱穀機のフィードチエン支持部材を提供しようとするものである。
【０００５】
【課題を解決するための手段】
上記の課題を解決するため、本発明が講じた技術的手段は、フィードチエン１８を前後方向のフィードチエン支持部材２２で支承した脱穀機において、上記フィードチエン支持部材２２を、その始端側に設けた前側取付部２５と後端側に設けた後側取付部２６とで機体側に取付けると共に、フィードチエン支持部材２２の始端側に設けたチエン外れ防止部材３１を、フィードチエン支持部材２２の機体側への前側取付部２５を挟んで前後に延設して、前側取付部２５を挟んだ前後の複数箇所でチエン外れ防止部材３１をフィードチエン支持部材２２にボルト３２、３２で固定することにより、チエン外れ防止部材３１をフィードチエン支持部材２２の始端側を補強する補強部材に兼用したことを特徴とし、また、上記フィードチエン支持部材２２を板状体で構成したことを特徴とするものである。
【０００６】
【発明の実施の形態】
次に本発明の実施の形態を、図面に示された一実施例に基いて詳細に説明する。まず図１〜図２において、１は脱穀機であって、この脱穀機１の前部に設けた扱室２には、扱歯３を固設した扱胴４が回転自在に軸架されており、扱室２の後部一側には、前後方向の処理室５が扱室２と連通状に配設されている。
【０００７】
上記処理室５の内部には処理歯６を固設した処理胴７が扱胴４と平行状に軸架されていて、受網８を漏下し得なかった穂切れ穀稈等の混合した処理物が、扱室２から処理室５に送り込まれると、回転する処理胴７でさらに処理して穀粒を分離し、藁屑等は処理室５後部の排塵口９から排出するようになっている。１０は処理胴７の始端部に設けた処理物の移送ラセンである。
【０００８】
上記扱室２および処理室５の下方には、搖動板、チャフシーブ、ストローラック等からなる選別体１１が前後揺動自在に架設されており、その下方には機体の前部にある唐箕１２から選別風が送風されて、扱室２および処理室５から漏下した穀粒等を選別体１１の揺動選別作用と選別風の風選作用とで選別する選別部が構成されている。１３は選別された穀粒を一番ラセン１４から揚上搬送して回収する揚穀筒、１５は二番ラセン１６から二番物を還元する還元ラセン、また１７は藁屑等を吸引排出する排塵ファンである。
【０００９】
１８は扱き口に沿って配設されたれたフィードチエンであって、該フィードチエン１８の上方には、図５で示すようにスプリング１９で押圧付勢された挟扼レール２０が配設されている。そして刈取られた穀稈がフィードチェーン１８の始端側に供給されると、このフィードチェーン１８と挟扼レール１９とで株元側を挟持された穀稈は、扱き口に沿って搬送される過程で回転する扱胴４によって脱穀処理され、脱穀処理後の排藁はフィードチエン１８の搬送終端から排藁搬送体２１に受継がれて機体の後方に搬送放出される。
【００１０】
そしてフィードチエン１８は、扱き口に沿った穀稈搬送側がフィードチエン支持部材２２で下方から支承されており、その後端側が駆動スプロケット２３および従動スプロケット２４に懸回されている。すなわち、図３〜図４で示すように、フィードチエン支持部材２２は、前後方向の板状体で構成されており、フィードチエン１８の穀稈搬送側を支持する所定幅の板状部分がフィードチエン支持部材２２を機体側に取付ける取付け面Ｃとなっており、この取付け面Ｃの後方に、駆動スプロケット２３および従動スプロケット２４を取付ける 取付け面Ｄが形成されている。
【００１１】
上記取付け面Ｃは、その始端側に設けた前側取付面２５と、後端側に設けた後側取付面２６とが、ボルト２７、２７によってそれぞれ扱室２の前側板２８および後側板２９に固定されている。また取付け面Ｄには、その後端上部に従動スプロケット２４が取付けられ、該従動スプロケット２４の前方下方位置に駆動スプロケット２３が取付けられている。上記フィードチエン支持部材２２には、図６で示すように、その外周縁に沿ってフィードチエン１８を支承する支承面２２aが折曲形成されている。
【００１２】
また上記取付け面Ｃと取付け面Ｄとの間に、所定高さの段差部３０を設けることにより、取付け面Ｃを延長して取付け面Ｄを形成して、この取付け面Ｄに駆動および従動スプロケット２３、２４を取付ければ、駆動および従動スプロケット２３、２４に懸回したフィードチエン１８を、フィードチエン支持部材２２に形成した支承面２２aで支承できるようになっている。
【００１３】
３１はフィードチエン支持部材２２の始端側に設けたチエン外れ防止部材であって、フィードチエン支持部材２２の外側面にボルト３２、３２によって固定されており、このチエン外れ防止部材３１によってフィードチエン１８がフィードチエン支持部材２２から外れるのを防止している。
【００１４】
そして上記チエン外れ防止部材３１は、フィードチエン支持部材２２の取付け面Ｃにある前側取付面２５を挟んで前後方向に長く延設することにより、フィードチエン支持部材２２の始端側を補強する補強部材に兼用されている。
【００１５】
また、３３はフィードチエン支持部材２２の後端側に設けたチエン外れ防止ガイドであって、このチエン外れ防止ガイド３３は、フィードチエン支持部材２２の後端側に溶着したガイド取付座３４の両側に終端ガイド３５、３５を取付固定して形成されていて、従動スプロケット２４に懸回されたフィードチエン１８の回動をガイドするとともに、チエン外れを防止している。３６はフィードチエン１８の張り強さを調節するタイトローラである。
【００１６】
本発明は上記のように構成したので、扱き口に沿って設けたフィードチエン１８は、その穀稈搬送側をフィードチエン支持部材２２で支承されて、円滑に穀稈を搬送することができる。
【００１７】
そして、上記フィードチエン支持部材２２は、取付け面Ｃの始端側に設けた前側取付面２５と、後端側に設けた後側取付面２６とが、それぞれ扱室２の前側板２８および後側板２９にボルト２７、２７によって確実に固定されるので、扱き口にそって回動するフィードチエン１８を的確に支持することができる。
【００１８】
しかもフィードチエン支持部材２２の始端側に設けたチエン外れ防止部材３１を、フィードチエン支持部材２２の前側取付面２５を挟んで前後方向に延設することにより、フィードチエン支持部材２２の補強部材に兼用したので、別に補強材等を設けることなくフィードチエン支持部材２２の始端側を更に補強して適正な強度とすることができる。
【００１９】
そして、上記のようなフィードチエン支持部材２２を板状体で構成したので、全体の構造が一層簡素化されて組み立てに必要な部品点数を削減することができる。
【００２０】
なお、フィードチエン支持部材２２は、取付け面Ｃを板状体とし、取付け面Ｄの部分をフレーム状等にしてもよく、また、フィードチエン支持部材２２の補強部材として、フィードチエン支持部材２２の後端側に設けたチエン外れ防止ガイド３３を利用したものでもよい。
【００２１】
【発明の効果】
これを要するに本発明は、フィードチエンを前後方向のフィードチエン支持部材で支承した脱穀機において、上記フィードチエン支持部材を、その始端側に設けた前側取付部と後端側に設けた後側取付部とで機体側に取付けると共に、フィードチエン支持部材の始端側に設けたチエン外れ防止部材を、フィードチエン支持部材の機体側への前側取付部を挟んで前後に延設して、前側取付部を挟んだ前後の複数箇所でチエン外れ防止部材をフィードチエン支持部材にボルトで固定することにより、チエン外れ防止部材をフィードチエン支持部材の始端側を補強する補強部材に兼用し、また、上記フィードチエン支持部材を板状体で構成したことから、前後方向のフィードチエン支持部材を、前側取付部と後側取付部とで機体側に確実に固定してフィードチエンを的確に支承することができる。
【００２２】
しかも上記フィードチエン支持部材は、機体側への取付部を挟んで前後に延設したチエン外れ防止部材が補強部材となって更に補強することができる。
【００２３】
そして上記のようなフィードチエン支持部材を板状体で構成すれば、全体の構造が一層簡素化されて組み立てに必要な部品点数を削減することができる。
【図面の簡単な説明】
【図１】脱穀機の平面図である。
【図２】同上側面図である。
【図３】フィードチエン支持部材の全体側面図である。
【図４】図３のＢ矢視図である。
【図５】挟扼レールを示すフィードチエン支持部材の側面図である。
【図６】図５のＡ―Ａ断面図である。
【符号の説明】
１８      フィードチェーン
２２      フィードチェーン支持部材
２５      前側取付部
２６      後側取付部
３１      チエン外れ防止部材
【図１】
0004380936.tif 000002
【図２】
0004380936.tif 000003
【図３】
0004380936.tif 000004
【図４】
0004380936.tif 000005
【図５】
0004380936.tif 000006
【図６】
0004380936.tif 000007